(57)【要約】【課題】屋内への騒音の侵入を防止する効果が極めて高く、それでいて良好な通気性を発揮する実用性に秀れた換気口を提供するものである。【解決手段】通気機能を有する管材１に付設される換気口ａであって、この換気口ａは、管材１に連設される筒部２と該筒部２の正面側に連設される換気部３とで構成され、換気部３内の通気空間部４には該換気部３の内壁と所定間隔を置いて吸音体５が設けられているものである。【選択図】　　　　図２
2004116927.tif 000002
【特許請求の範囲】
【請求項１】
通気機能を有する管材に付設される換気口であって、この換気口は、管材に連設される筒部と該筒部の正面側に連設される換気部とで構成され、換気部内の通気空間部には該換気部の内壁と所定間隔を置いて吸音体が設けられていることを特徴とする換気口。
【請求項２】
請求項１記載の換気口において、換気部の内壁には前記吸音体と所定間隔を置いて吸音材が付設されていることを特徴とする換気口。
【請求項３】
請求項１，２いずれか１項に記載の換気口において、換気部には通気空間部の通気導入開口部に付設される開口部材が設けられ、この開口部材に吸音体が連設されていることを特徴とする換気口。
【請求項４】
請求項１〜３いずれか１項に記載の換気口において、換気口は、筒部に筒状の換気部が連設される構成であり、更に、該筒部の軸芯と該換気部の軸芯とが直交するように構成され、換気部の下部に通気空間部の通気導入開口部が設けられていることを特徴とする換気口。
【発明の詳細な説明】
【０００１】
【発明の属する技術分野】
本発明は、屋外の騒音を吸音する機能を有する換気口に関するものである。
【０００２】
【従来の技術及び発明が解決しようとする課題】
壁に設けられた管材（ダクト）に付設される換気口は、一般的に、管材に嵌入される円筒部と該円筒部の正面側に連設される筒状の換気部とから構成されており、屋外に排気される空気は、管材から円筒部内の空間及び換気部内の空間を経由して換気部の通気導入開口部に達し、外部に排出される（例えば、出願人の先願に係る特許第３２８５５５７号公報）。
【０００３】
ところで、この換気口においては、屋外の騒音が前記通気導入開口部から侵入し、換気部内の空間，円筒部内の空間及び管材を経由して屋内に達してしまうという問題点がある。
【０００４】
従って、この屋内への騒音の侵入を防止する為、換気部の内壁に発泡ウレタン等の吸音材を付設する方法が提案されているが、この方法では、屋内への騒音の侵入を防止する効果が不十分である。
【０００５】
具体的には、換気部の内壁に吸音材が付設された構成の場合、換気部の通気導入開口部から該換気部の通気空間部に侵入した騒音は、換気部の内壁（吸音材）で反射しながら管材側へ侵入していくが、この際、該騒音は吸音材で反射するたびに該吸音材に少しずつ吸音され減衰していく。従って、騒音が反射する回数が多ければ、それだけ騒音が吸音され減衰することになる。
【０００６】
この構成の場合、騒音が反射する回数は、吸音材が設けられている部位の長さと、通気空間部において対向配設される吸音材同志の距離とに大きな影響を受ける。即ち、吸音材が設けられている部位の長さが長ければ、該部位を通過する際に騒音が反射する回数が多くなる。また、対向配設される吸音材同志の距離が短ければ、或る一箇所で反射した騒音が直ちに対向側の吸音材に当接して反射することになり、反射によって騒音が進む距離が短くなる為、反射回数が多くなるのである。
【０００７】
しかし、吸音材が付設されている部位を長くする為に換気部を長くすることには限界がある。また、通気空間部を狭くして吸音材同志の距離を短くしようとすると、換気口の重要な特性である通気性が悪くなる。
【０００８】
本発明は、上記問題点を解決するもので、屋内への騒音の侵入を防止する効果が極めて高く、それでいて良好な通気性を発揮する実用性に秀れた換気口を提供するものである。
【０００９】
【課題を解決するための手段】
添付図面を参照して本発明の要旨を説明する。
【００１０】
通気機能を有する管材１に付設される換気口ａであって、この換気口ａは、管材１に連設される筒部２と該筒部２の正面側に連設される換気部３とで構成され、換気部３内の通気空間部４には該換気部３の内壁と所定間隔を置いて吸音体５が設けられていることを特徴とする換気口に係るものである。
【００１１】
また、請求項１記載の換気口において、換気部３の内壁には前記吸音体５と所定間隔を置いて吸音材６が付設されていることを特徴とする換気口に係るものである。
【００１２】
また、請求項１，２いずれか１項に記載の換気口において、換気部３には通気空間部４の通気導入開口部７に付設される開口部材８が設けられ、この開口部材８に吸音体５が連設されていることを特徴とする換気口に係るものである。
【００１３】
また、請求項１〜３いずれか１項に記載の換気口において、換気口ａは、筒部２に筒状の換気部３が連設される構成であり、更に、該筒部２の軸芯と該換気部３の軸芯とが直交するように構成され、換気部３の下部に通気空間部４の通気導入開口部７が設けられていることを特徴とする換気口に係るものである。
【００１４】
【発明の作用及び効果】
換気部３の通気空間部４に該換気部３の内壁と所定間隔を置いて吸音体５を設ける構成を採用しているから、換気部３の内壁で反射した騒音は短い距離を移動しただけで吸音体５に当接反射することになる。
【００１５】
従って、騒音の反射によって進む距離が短くなり、必然的に該騒音が吸音体５で反射する回数、即ち、吸音される回数が多くなり、秀れた騒音防止効果が発揮されることになる。
【００１６】
更に、通気空間部４の断面積が大きくても、吸音体５の存在によって騒音が反射する距離を短くできる為、元々換気口ａに求められている良好な通気性も維持されることになる。
【００１７】
本発明は上述のように構成したから、屋内への騒音の侵入を防止する効果が極めて高く、それでいて良好な通気性を発揮する実用性に秀れた換気口となる。
【００１８】
【発明の実施の形態】
図面は本発明の一実施例を図示したものであり、以下に説明する。
【００１９】
本実施例は、通気機能を有する管材１に付設される換気口ａであって、この換気口ａは、管材１に連設される筒部２と該筒部２の正面側に連設される換気部３とで構成され、換気部３内の通気空間部４には該換気部３の内壁と所定間隔を置いて吸音体５が設けられているものである。
【００２０】
また、換気部３の内壁には前記吸音体５と所定間隔を置いて吸音材６が付設されている。
【００２１】
また、筒部２として円筒状の筒部２が採用されている。
【００２２】
また、筒部２に筒状の換気部３が連設される構成であり、更に、該筒部２の軸芯と該換気部３の軸芯とは直交するように構成され、換気部３の下部に通気空間部４の通気導入開口部７が設けられた構成が採用されている。
【００２３】
換気部３として円筒状の換気部３が採用されているが、この換気部３の形状はデザインにより適宜設定される。また、この換気部３は可及的に長尺のものを採用すると良い。
【００２４】
筒部２と換気部３とは、管材１が設けられている壁９に当接する当接筒部１０を介して連設されている。従って、どのような形状の換気部３であっても、該換気部３と筒部２とを連設することができる。また、当接筒部１０を斜め下方に向けて傾斜させた形状とすることにより、軒下等の形状制限を受け易い場所でも、換気口ａを管材１に安定性良く付設することができる。
【００２５】
換気部３の通気導入開口部７には、換気窓１１付の開口部材８が設けられている。
【００２６】
また、この開口部材８に前記吸音体５が設けられている。具体的には、開口部材８に通気空間部４の軸芯にして該通気空間部４の奥側に延びる杆部１２が立設され、この杆部１２に吸音部材１３が被嵌されて吸音体５となる構成である。
【００２７】
尚、吸音材６及び吸音部材１３としては、一般に使用されている吸音素材、例えば、発泡ウレタン等を使用する。
【００２８】
本実施例は上述のように構成したから、換気部３の通気導入開口部７から通気空間部４に侵入した騒音は、換気部３の内壁と吸音体５とによって反射しつつ管材１側（屋内側）へ侵入していくことになるが、この際、換気部３の内壁で反射した騒音は短い距離を移動しただけで吸音体５に当接反射する為、吸音体５で反射する回数が多くなり（図２中符号Ｘで示す矢印参照）、必然的に吸音体５によって騒音が吸収される回数が多くて該騒音が良好に吸音減衰し、屋内への騒音収入を防止する効果が極めて高い実用性に秀れた換気口となる。
【００２９】
また、通気導入開口部７や通気空間部４の断面積が大きくても、吸音体５の存在故に騒音が反射される距離を短くすることができるから、換気口ａ本来の重要な特性である良好な通気性を発揮することができる実用性に秀れた換気口となる。
【００３０】
また、換気部３の内壁に吸音材６が設けられているから、騒音が換気部３の内壁に反射される際にも該吸音材６によって吸音されることになり、より一層騒音が吸音される回数が多くなって屋内への騒音収入を防止する効果がより一層高くなる実用性に秀れた換気口となる。
【００３１】
また、換気部３として筒状の換気部３が採用され、筒部２の軸芯と換気部３の軸芯とが直交する構成で、この換気部３の下面に通気導入開口部７が設けられているから、通気導入開口部７から侵入した騒音が直線的に管材１に進むことができず、それだけ屋内への騒音収入を防止する効果がより一層高くなる実用性に秀れた換気口となる。
【００３２】
また、吸音体５は通気導入開口部７の軸芯に設けられているから、該吸音体５と換気部３の内壁との距離が均一となり、通気導入開口部７のどの部位から侵入した騒音であっても均一に吸音されることになるより一層実用性に秀れた換気口となる。
【００３３】
また、吸音体５は通気導入開口部７に設けられる開口部材８に付設された構成であるから、換気部３に開口部材８を組み付ける際に該換気部３の通気空間部４に吸音体５を配設することができ、製造が容易で、しかも、既存の換気口でも簡単に改造することができる実用性，生産性に秀れた換気口となる。
【００３４】
また、吸音体５は杆部１２の外周面に吸音部材１３が被嵌された構成であるから、該吸音部材１３が杆部１２によって支持されることになり、柔らかい素材の吸音部材１３でも通気導入開口部７内に良好に保持され、必然的に該吸音体５の発揮する吸音作用が良好に維持されることになるより一層実用性に秀れた換気口となる。
【００３５】
【図面の簡単な説明】
【図１】本実施例の説明側面図である。
【図２】本実施例の説明側断面図である。
【図３】本実施例のＡ−Ａ線の説明断面図である。
【符号の説明】
ａ　換気口
１　管材
２　筒部
３　換気部
４　通気空間部
５　吸音体
６　吸音材
７　通気導入開口部
８　開口部材
【図１】
2004116927.tif 000003
【図２】
2004116927.tif 000004
【図３】
2004116927.tif 000005